(57)【要約】【課題】ラベルエリアへのラベルの位置決め機能を維持しつつ該ラベルエリアに貼付したラベルの剥離が容易なカートリッジを得る。【解決手段】記録テープカートリッジ１０では、内部に磁気テープを収容したケース１２の後壁１２Ｃの外面を凹ませることで、背面視矩形状の立壁６２に囲まれたラベルエリア６０が設けられており、ラベル６６の貼付用とされている。ケース１２には、立壁６２を構成する上立壁６２の長手方向中央部を切り欠いて切欠き部６４が設けられており、ラベルエリア６０に貼付されたラベル６６を切欠き部６４から容易に剥がせるようになっている。また、切欠き部６４は、上立壁６２Ａの長手方向の一部を切り欠いて設けられているため、ラベルエリア６０へのラベル６６の位置決め性が悪化することもない。【選択図】　　　図６
2004095070.tif 000002
【特許請求の範囲】
【請求項１】
内部に記録媒体を収容したケースの外面に、矩形状の立壁に囲まれたラベルエリアが形成されたカートリッジであって、
前記立壁の１辺における長手方向の一部を切り欠いて、前記ラベルエリアと連続する切欠き部を前記ケースに設けた、
ことを特徴とするカートリッジ。
【請求項２】
前記ラベルエリアを、前記ケースのドライブ装置への装填方向後側の後壁に形成し、前記立壁の上辺の中央部に前記切欠き部を設けた、ことを特徴とする請求項１記載のカートリッジ。
【請求項３】
前記切欠き部を、前記ケースの上面まで連続して設けた、ことを特徴とする請求項２記載のカートリッジ。
【発明の詳細な説明】
【０００１】
【発明の属する技術分野】
本発明は、ケース内に記録媒体を収容し、該記録媒体への記録可能状態、記録不能状態を切り替えるライトプロテクト機能を備えたカートリッジに関する。
【０００２】
【従来の技術】
コンピュータ等の外部記録媒体として、記録媒体をケース内に収容したカートリッジが用いられている。具体的には、カートリッジは、上ケースと下ケースとが互いに周壁を突き当てて中空に形成されたケース内に、リールに巻装された記録テープや円板状のディスクメディア等の記録媒体を回転可能に収容して構成されている。
【０００３】
そして、このようなカートリッジのケース外面には、一般的に記録媒体への記録内容等（例えば、タイトル等）を記したラベルを貼付するためのラベルエリアが設けられている。ラベルエリアは、例えば、ケースの上面や背面を略矩形状に窪ませ（凹ませ）て形成されることで、その外縁部が周壁に囲まれる。これにより、カートリッジ使用者は、所定の位置にラベルを貼付することができ、このように周壁（凹部であるラベルエリア）内に位置決めされることでラベルがケースより突出することがない。
【０００４】
【発明が解決しようとする課題】
しかしながら、上記のような従来のカートリッジでは、ラベルエリアの形状及び大きさがラベルの形状及び大きさに略対応して設定されており、該ラベルエリアを囲む周壁とラベル外縁部との間が狭いため、貼付したラベルを剥がし難いという問題があった。
【０００５】
そこで、ラベルに対しラベルエリアを大型化することも考えられるが、ラベルエリアを大型化するとラベルの位置決め性が悪化し、また該ラベルエリアはケースの薄肉部であるため、強度上好ましくない。さらに、ケースの背面側に設けられるラベルエリアについては、通常、該背面の略全面に亘り形成されており、大型化の余地が殆どない。
【０００６】
本発明は、上記事実を考慮して、ラベルエリアへのラベルの位置決め機能を維持しつつ該ラベルエリアに貼付したラベルの剥離が容易なカートリッジを得ることが目的である。
【０００７】
【課題を解決するための手段】
上記目的を達成するために請求項１記載の発明に係るカートリッジは、内部に記録媒体を収容したケースの外面に、矩形状の立壁に囲まれたラベルエリアが形成されたカートリッジであって、前記立壁の１辺における長手方向の一部を切り欠いて、前記ラベルエリアと連続する切欠き部を前記ケースに設けた、ことを特徴としている。
【０００８】
請求項１記載のカートリッジでは、ラベルエリアを囲む（ラベルエリアの外縁を規定する）立壁が切り欠かれることでラベルエリアと連続する切欠き部がケースに設けられているため、該ケースではラベルエリアに貼付されているラベルを切欠き部から容易に剥がすことができる。
【０００９】
また、切欠き部が立壁の１辺における長手方向の一部に設けられているため、換言すれば、該１辺が全長に亘りが切り欠かれて開放されることがなく、矩形状のラベルエリアが立壁によって４方向から囲まれているため、ラベルをラベルエリア内に適正に位置決めすることができる。
【００１０】
このように、請求項１記載のカートリッジでは、ラベルエリアへのラベルの位置決め機能を維持しつつ該ラベルエリアに貼付したラベルの剥離が容易である。
【００１１】
請求項２記載の発明に係るカートリッジは、請求項１記載のカートリッジにおいて、前記ラベルエリアを、前記ケースのドライブ装置への装填方向後側の後壁に形成し、前記立壁の上辺の中央部に前記切欠き部を設けた、ことを特徴としている。
【００１２】
請求項２記載のカートリッジでは、ラベルエリアがケース後壁に設けられているため、例えば、該カートリッジのドライブ装置への装填の際やライブラリ装置のホルダ部に収容されている状態で、ラベルに記載された情報を背面側から目視にて確認できる。
【００１３】
そして、切欠き部がケースにおけるラベルエリアを囲む立壁のうち上辺（後壁に設けられたラベルエリアの長辺）の中央部を切り欠いて設けられているため、該切欠き部を比較的大きく設定することができると共に、該切欠き部がラベルの角部（剥がれ易い部分）から離間している。このため、本カートリッジでは、ラベルの剥がし易さを向上し、また該ラベルの不用意な剥離を防止できる。
【００１４】
請求項３記載の発明に係るカートリッジは、請求項２記載のカートリッジにおいて、前記切欠き部を、前記ケースの上面まで連続して設けた、ことを特徴としている。
【００１５】
請求項３記載のカートリッジでは、ケースの切欠き部が該ケースの上面まで連続して設けられているため、換言すれば、切欠き部がケースの上方に向けて開口しているため、ラベルエリアに貼付されたラベルは切欠き部から端面（厚み部分）を上方に露出させる。このため、本カートリッジでは、ラベルエリアに貼付したラベルの剥離が一層容易である。
【００１６】
【発明の実施の形態】
本発明の一実施の形態に係る記録テープカートリッジ１０について、図１乃至図７に基づいて説明する。まず、記録テープカートリッジ１０の概略の全体構成、開口及びドアの構成を説明し、次いで、本発明の要部であるラベルエリア６０について説明する。なお、説明の便宜上、矢印Ａで示す記録テープカートリッジ１０のドライブ装置への装填方向を記録テープカートリッジ１０の前方向（前側）とし、矢印Ａと直交する矢印Ｂ方向を右方向とする。
（記録テープカートリッジの全体構成）
図１には記録テープカートリッジ１０の全体構成が斜視図にて示されており、図２には記録テープカートリッジ１０の概略の分解斜視図が示されている。
【００１７】
これらの図に示される如く、記録テープカートリッジ１０は、平面視で略矩形状のケース１２内に、情報記録再生媒体である記録テープとしての磁気テープＴを巻装した単一のリール１４を回転可能に収容して構成されている。
【００１８】
ケース１２は、ドライブ装置への装填方向先頭側の１つの角部である右前角部がそれぞれ切り欠かれた一対の上ケース１６と下ケース１８とを互いの周壁１６Ａ、１８Ａを突き合せて接合することで構成されており、内部に磁気テープＴを巻装したリール１４の収容空間が設けられている。そして、上ケース１６及び下ケース１８の周壁１６Ａ、１８Ａが切り取られた角部が磁気テープＴの引き出し用の開口２０とされている。開口２０及び該開口２０を開閉するドア５０の詳細構成については後述する。
【００１９】
この開口２０から引き出される磁気テープＴの自由端には、ドライブ装置の引出手段によって係止（係合）されつつ引き出し操作されるリーダピン２２が接続されている。リーダピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００２０】
また、ケース１２の開口２０の内側には、ケース１２内においてリーダピン２２を位置決め、保持する上下一対のピン台２４が設けられている。ピン台２４は、矢印Ｂ方向に開口する半円筒形状をしており、その凹部２４Ａに直立した状態のリーダピン２２の両端部が保持されるようになっている。このピン台２４は、後述するリブ４４と連設されている。
【００２１】
また、ピン台２４の近傍には板ばね２５が固定配置されており、この板ばね２５がリーダピン２２の上下端部に係合してリーダピン２２をピン台２４に保持するようになっている。リーダピン２２がピン台２４に出入りする際には、板ばね２５はアーム部２５Ａを適宜弾性変形させてリーダピン２２の移動を許容する構成である。
【００２２】
さらに、下ケース１８の中央部には、リール１４の図示しないリールギヤを外部に露出するためのギヤ開口２６が設けられており、リール１４はリールギヤがドライブ装置の駆動ギヤに噛合わされてケース１２内で回転駆動されるようになっている。また、リール１４は、上ケース１６及び下ケース１８の内面にそれぞれ部分的に突設されてギヤ開口２６と同軸的な円形の軌跡上にある内壁としての遊動規制壁２８によってガタ付かないように保持されている。
【００２３】
この遊動規制壁２８の開口２０近傍の端部には、内部に位置規制用孔が形成された袋部２８Ａが連設されている。また、ケース１２の左前角部と遊動規制壁との間に挟まれた空間には、長孔である位置規制用孔が形成された袋部２８Ｂが立設されている。袋部２８Ａ、２８Ｂは、矢印Ｂ方向に沿った一直線上に配置されている。そして、袋部２８Ａが連設された端部を除いて、各遊動規制壁２８は、それぞれ端部がケース１２の周壁１６Ａまたは周壁１８Ａと連設されることで、その外側とリール１４の設置空間とを仕切っている。
【００２４】
また、下ケース１８の右後部には、各記録テープカートリッジ１０毎に、その各種情報を記憶されたメモリボードＭが設置されるようになっており、下面側から読み取るドライブ装置と、背面側から読み取るライブラリ装置での検知が可能となるように、周壁１８Ａを構成する傾斜後壁１８Ｃの一部が所定角度だけ傾斜され、メモリボードＭが所定角度傾斜して配置されるようになっている。
（開口及び開口近傍のケースの構成）
上ケース１６の底面図である図３及び下ケース１８の平面図である図４にも示される如く、開口２０の前後の縁部には、それぞれ上下一対のビスボス３２、３６が設けられている。ビスボス３２、３６は、図示しない他のビスボスと共に上ケース１６と下ケース１８とを接合するためのビス止め用とされている。
【００２５】
開口２０の前縁部に位置するビスボス３２は、ケース１２の前壁１２Ａ（周壁１６Ａ、１８Ａのうち、外面が矢印Ａ方向を向く部分）の右端部、及び該前壁１２Ａの右端部から開口２０の開放面に沿って短く屈曲された上下一対の防塵壁３０とそれぞれ連設されている。ビスボス３２と防塵壁３０との間には後述するドア５０の先端部が入り込む凹部３０Ａが形成されている。
【００２６】
一方、開口２０の後縁部に位置するビスボス３６は、ケース１２の右壁１２Ｂ（周壁１６Ａ、１８Ａのうち、矢印Ａ方向に沿った右側の壁）の前端部が開口２０の開放面に略沿って屈曲された屈曲壁３８、及び該右壁１２Ｂの内側に設けられた上下一対の円弧壁３４の前端部とそれぞれ連設されている。上下の円弧壁３４は、それぞれ平面視で後述するドア５０の外周面（の移動軌跡）に略対応した円弧状に形成されており、それぞれビスボス３６から所定長さだけ後方へ伸び、該後部において短い連結壁３４Ａを介して右壁１２Ｂ（周壁１６Ａまたは周壁１８Ａ）に連設されている。
【００２７】
また、ケース１２の右壁１２Ｂには、ケース１２の内外を連通する窓部としての所定長さのスリット４０が設けらており、後述するドア５０の操作突起５２の露出用とされている。スリット４０は、右壁１２Ｂを構成する周壁１６Ａの下部を切り欠いて形成され、上ケース１６の屈曲壁３８の下部をも切り欠くことで前方へも開口されている。
【００２８】
このケース１２を構成する上ケース１６及び下ケース１８には、それぞれドア５０をガイドするためのガイド溝４２が設けられている。各ガイド溝４２は、その溝壁が、それぞれ上ケース１６の天板１６Ｂ、下ケース１８の底板１８Ｂから立設されたリブ４４、右壁１２Ｂ（周壁１６Ａまたは周壁１８Ａ）、遊動規制壁２８によって構成されることで、それぞれ天板１６Ｂまたは底板１８Ｂを薄肉化することなく形成されている。リブ４４はピン台２４に連設されている。
【００２９】
各ガイド溝４２は、凹部３０Ａを基端としケース１２の右後角部まで至る所定の円周に沿った円弧状に形成されており、この所定の円周はビスボス３２の外側、ビスボス３６の内側、右壁１２Ｂと遊動規制壁２８との間を通る（縫う）ように決められている。そして、この所定の円周の中心位置（後述するドア５０の回転中心）は、本実施の形態では、その左右方向の位置（座標）がケース１２の左端よりも外側に、その前後方向の位置（座標）がリール１４の回転中心（遊動規制壁２８の軸心）と略一致するように設定されている。
【００３０】
また、ガイド溝４２の開口２０に位置する部分は、リブ４４がピン台２４の右方において切り欠かれることで凹部２４Ａと連通されると共に、板ばね２５のアーム部２５Ａが配置されるばね溝４５とも連通している。また、ガイド溝４２の切欠き部分では、リーダピン２２をケース１２内に誘い込むテーパ開口２０Ａがピン台２４の凹部２４Ａに連通している。さらに、リブ４４には、テーパ開口２０Ａの後縁、ビスボス３６の前縁、開口２０の開放面にそれぞれ沿って形成されたリブ４６が連設されており、ケース１２の開口２０廻りの強度が確保または向上されている。
【００３１】
さらに、各ガイド溝４２の後半部分を構成するリブ４４は、その後端において略Ｕ字状に折り返されて閉じている。そして、上ケース１６のリブ４４は、下ケース１８のリブ４４よりも後方に長く形成されている。これは、下ケース１８の傾斜後壁１８Ｃ（周壁１８Ａ）が所定角度の傾斜面になっており、その右壁１２Ｂ側に配設したメモリボードＭをドア５０と干渉させないためである。
【００３２】
さらに、後半部分のリブ４４の内側部分における長手中央部には、上下一対のばね掛けピン５５が設けられている。各ばね掛けピン５５は、それぞれ遊動規制壁２８に連設されており、下ケース１８側が長く形成され、その遊動規制壁２８よりも上方に突出した部分に後述するコイルばね５６の一端側環状部５６Ａが引掛けられる構成である。そして、この下ケース１８側のばね掛けピン５５に上ケース１６側の短いばね掛けピン５５が突き当てられることで、コイルばね５６の脱落が阻止されるようになっている。
【００３３】
以上説明した上ケース１６と下ケース１８とは、互いの周壁１６Ａ、１８Ａを突き当てた状態で、各ビスボス３２、３６及び他のビスボスに下側から図示しないビスがねじ込まれて固定（接合）されケース１２を構成している。そして、開口２０は、右前角部が切り欠かれて形成されることで、その開放面が矢印Ａ方向及び矢印Ｂ方向に向くため、ドライブ装置の引出手段が、矢印Ａ方向、矢印Ｂ方向、或いは矢印Ａ方向と矢印Ｂ方向との間からアクセスしてリーダピン２２をチャックできる。これにより、リーダピン２２を保持するピン台２４を設置可能なエリアが広がり、ドライブ装置の引出手段がリーダピン２２をチャック可能な領域が広いため、矢印Ａ方向または矢印Ｂ方向からチャックするドライブ装置の仕様に合わせてピン台２４の設置位置を設定できる。このため、ドライブ装置の設計の自由度も広がる。
（ドアの構成）
以上説明した開口２０は、遮蔽部材としてのドア５０によって開閉されるようになっている。ドア５０は、板厚方向に湾曲され、その平面視における曲率がガイド溝４２（所定の円周）の曲率と一致する円弧状に形成されている。また、ドア５０は、その前部（少なくとも開口２０を閉塞する部分）における板幅（高さ）が開口２０の開口高さと略同一に形成された部分が閉塞部５０Ａとされると共に、閉塞部５０Ａよりも後側の板幅が若干小さくされた部分が駆動部５０Ｂとされている。
【００３４】
このドア５０の板長（湾曲した長手寸法）は、開口２０の閉塞状態において駆動部５０Ｂの後端部がケース１２の右後角部内に位置するように決められている（図５（Ａ）参照）。なお、駆動部５０Ｂの後下部は、下ケース１８の傾斜後壁１８Ｃの傾斜面に配設されたメモリボードＭを回避するために、斜めに切り欠かれている。
【００３５】
このドア５０は、その閉塞部５０Ａの先端部がビスボス３２の外側に位置する凹部３０Ａに入り込んだ状態で開口２０を閉塞し（図５（Ａ）参照）、ガイド溝４２に沿って略後方へ移動（回動）して開口２０を開放し（図５（Ｂ）参照）、閉塞部５０Ａの先端近傍の外周面がビスボス３６の内側近傍に達すると開口２０を完全に開放する（図５（Ｃ）参照）構成である。また、ドア５０は、開口２０を開放する際と略反対方向に回動して開口２０を閉塞するようになっている。
【００３６】
このように、ドア５０は、その移動軌跡である所定の円周をはみ出すことなく回動して開口２０を開閉するように湾曲形成されている。ドア５０の回転中心及び半径（ガイド溝４２の形状）は、ドライブ装置からの要求により決まる開口２０前後の縁部（ビスボス３２、３６）の位置やライブラリ装置からの要求により決まる開口２０の開放面の角度等に応じて適宜決められれば良い。
【００３７】
また、ドア５０の上下端には、それぞれ上下のガイド溝４２に入り込むそれぞれ複数の凸部５１が突設されている。各凸部５１は、閉塞部５０Ａと駆動部５０Ｂとで突出高が異なるが、ドア５０の幅方向（長手方向に沿った）中心線からそれぞれの頂部までの距離は一定とされている。これにより、上下の凸部５１は、ガイド溝４２の底部である天板１６Ｂまたは底板１８Ｂと摺動するようになっている。
【００３８】
また、各凸部５１におけるドア５０の板厚方向両側には、その頂部がドア５０板厚方向端面に沿う突起５１Ａが突設されており、ガイド溝４２の溝壁（リブ４４等）と摺動するようになっている。なお、最前に位置する凸部５１は、開口２０の開閉過程でガイド溝４２と連通するテーパ開口２０Ａには入り込まないように配置されている。
【００３９】
これらの凸部５１及び突起５１Ａによって、ドア５０は、開口２０を開閉する際に各ガイド溝４２にガイドされて上記移動軌跡からはみ出すことなく、ビスボス３２の外側及びビスボス３６の内側、右壁１２Ｂと遊動規制壁２８との間を縫うようにして確実に開動する構成である。
【００４０】
このドア５０の駆動部５０Ｂの前端（閉塞部５０Ａ側）近傍における外周部には、操作部としての操作突起５２がドア５０の径方向に沿って突設されている。操作突起５２は、スリット４０からケース１２の外側に露出されており、記録テープカートリッジ１０のドライブ装置への装填（相対移動）に伴って該スリット４０の前方に開口した部分から進入する係合突起７０と係合することでドア５０を開口２０の開放方向に移動させる構成である。
【００４１】
また、ドア５０の駆動部５０Ｂの後端部には、該ドア５０の内面側に向けて略Ｌ字状のばね掛け部５４が突設されており、ばね掛け部５４は上側が自由端とされている。このばね掛け部５４には、付勢手段としてのコイルばね５６が係止保持用されている。具体的には、コイルばね５６の端部にはそれぞれ係止用の環状部５６Ａ、５６Ｂが設けられており、環状部５６Ａはケース１２のばね掛けピン５５を挿通させてケース１２に係止保持され、環状部５６Ｂはばね掛け部５４を挿通させてドア５０に係止保持される。
【００４２】
これにより、ドア５０は、コイルばね５６の付勢力によって開口２０の閉塞方向に付勢され、通常開口２０を閉塞する構成である。このコイルばね５６は、上記の通りドア５０が開口２０の閉塞状態でケース１２の右後角部に至る長さであるため、該右後角部における遊動規制壁２８と周壁１６Ａ、１８Ａ（傾斜後壁１８Ｃ）との間の空間を有効利用して配設されている。
【００４３】
また、ドア５０の閉塞部５０Ａ内面には、開口２０閉塞時にリーダピン２２の上端部側面及び下端部側面に当接するストッパ５８が突設されており、落下衝撃等によるリーダピン２２のピン台２４からの脱落を、確実に防止できるようになっている。
【００４４】
以上説明したドア５０は、記録テープカートリッジ１０がドライブ装置へ装填される動作によって操作突起５２がドライブ装置の係合突起７０（図５（Ａ）乃至（Ｃ）参照）に係合することでコイルばね５６の付勢力に抗してケース１２に対し移動し開口２０を開放し、ドライブ装置から排出される際にはコイルばね５６の付勢力によって開口２０を閉塞する構成である。
【００４５】
そして、円弧状に湾曲形成されたドア５０は、その湾曲形状に沿った移動軌跡からはみ出すことなくリール１４及びピン台２４（リーダピン２２）の外側を回り込むように回動して、矢印Ａ方向に対し傾斜した開口２０を開閉するようになっており、開口２０の開閉に際してケース１２の外形領域からはみ出さない構成である。
（ラベルエリアの構成）
図６に示される如く、ケース１２の後壁１２Ｃ（周壁１６Ａ、１８Ａのうち、矢印Ａとは反対側の壁）には、ラベルエリア６０が設けられている。ラベルエリア６０は、後壁１２Ｃの長手方向略全長に亘る背面視略矩形状に形成され、その上下方向下部にパーティングラインＰＬが位置している。すなわち、図２にも示される如く、ラベルエリア６０は、上ケース１６の周壁１６Ａと下ケース１８の周壁１８Ａとに跨って位置している。
【００４６】
このラベルエリア６０は、後壁１２Ｃの外面を凹ませ（窪ませ）ることで形成された立壁６２で囲まれている。すなわち、ラベルエリア６０は、後壁１２Ｃに凹部として設けられ、その外縁部が立壁６２によって規定されている。図３及び図４にも示される如く、この立壁６２は、上立壁６２Ａと下立壁６２Ｂと左立壁６２Ｃと右立壁６２Ｄとで構成されている。
【００４７】
そして、立壁６２の上立壁６２Ａは、その長手方向中央部が所定長さに亘って切り欠かれており、この部分が切欠き部６４とされている。図７に示される如く、ラベルエリア６０と連続しており、その底面６４Ａは、ラベルエリア６０と面一とされると共に上端部分がアール仕舞いとされて天板１６Ｂへ至っている。これにより、ラベルエリア６０は、切欠き部６４において上方に開口している。
【００４８】
以上説明したラベルエリア６０には、必要に応じてラベル６６（図７参照）が貼付されるようになっている。このラベル６６は、例えば磁気テープＴへの記録内容等（例えば、タイトルや日付等）を記したものであり、左右、上下方向共にラベルエリア６０よりも若干小さい矩形状に形成されている。
【００４９】
次に、本実施の形態の作用について説明する。
【００５０】
上記構成の記録テープカートリッジ１０では、非使用時（保管時や運搬時等）には、コイルばね５６の付勢力によって先端部を凹部３０Ａに入り込ませたドア５０が開口２０を閉塞している。
【００５１】
そして、磁気テープＴを使用する際には、記録テープカートリッジ１０を矢印Ａ方向に沿ってドライブ装置へ装填する。この装填に伴って、ドライブ装置の係合突起７０がドア５０の操作突起５２に係合することでドア５０が略後方へ回動して開口２０が開放され、この開口２０からリーダピン２２が引出手段によって引き出されてドライブ装置の巻取リールに収容される。
【００５２】
そして、ドライブ装置が巻取リールとリール１４とを同期して回転駆動すると、磁気テープＴは、巻取リールに巻き取られつつ順次ケース１２から引き出され、所定のテープ経路に沿って配設された記録再生ヘッド等によって情報の記録や再生が行われる。
【００５３】
一方、磁気テープＴがリール１４に巻き戻されて、記録テープカートリッジ１０をドライブ装置から排出する際には、記録テープカートリッジ１０は、コイルばね５６の付勢力または図示しないイジェクト機構によって矢印Ａ方向とは反対方向に移動する。この移動に伴って、ドア５０は、コイルばね５６の付勢力によって開口２０を閉塞する。
【００５４】
また、ラベルエリア６０には、必要に応じてラベル６６が貼付される。これにより、記録テープカートリッジ１０の使用者が目視にて磁気テープＴに記録された情報の概要（タイトルや記録日時等）を確認できる。そして、ラベルエリア６０がケース１２の後壁１２Ｃに設けられているため、例えば、記録テープカートリッジ１０のドライブ装置への装填の際や、記録テープカートリッジ１０がライブラリ装置のホルダ部に収容されている状態でも、ラベル６６を背面側から目視できる。
【００５５】
ここで、ケース１２には、ラベルエリア６０を囲む立壁６２の一部を切り欠いてラベルエリア６０と連続する切欠き部６４が設けられているため、該ケース１２では、ラベルエリア６０に貼付されているラベル６６を切欠き部６４から容易に剥がすことができる。
【００５６】
また、切欠き部６４が立壁６２の上立壁６２Ａにおける長手方向の一部である中央部に設けられているため、換言すれば、上立壁６２Ａが全長に亘りが切り欠かれて開放されることがなく、矩形状のラベルエリア６０が立壁６２によって４方向から囲まれているため、ラベル６６をラベルエリア６０内に適正に位置決めすることができる。
【００５７】
また、切欠き部６４が、ラベルエリア６０の長辺を規定する上立壁６２Ａの長手方向中央部に位置しているため、例えば右立壁６２Ｄ等の短辺部に切欠き部を設ける構成と比較して該切欠き部６４を比較的大きく設定することができ、ラベルエリア６０に貼付されているラベル６６を切欠き部６４から一層容易に剥がすことができる。
【００５８】
特に、切欠き部６４が、ケース１２の上面（天板１６Ｂ表面）まで連続して設けられ、上方に向けて開口していているため、ラベルエリア６０に貼付されているラベル６６を切欠き部６４からより一層容易に剥がすことができる。
【００５９】
一方、この切欠き部６４が、ラベル６６における剥離し易い角部から離間しているため、換言すれば、ラベルエリア６０（立壁６２）の角部に位置していないため、該ラベル６６の不用意な剥離が防止される。
【００６０】
このように、本実施の形態に係るの記録テープカートリッジ１０では、ラベルエリア６０へのラベル６６の位置決め機能を維持しつつ該ラベルエリア６０に貼付したラベル６６の剥離が容易である。
【００６１】
なお、上記の実施の形態では、ケース１２の後壁１２Ｃに設けられたラベルエリア６０に連続する切欠き部６４を設けた構成としたが、本発明はこれに限定されず、例えば、天板１６Ｂに設けたラベルエリア６８（図７参照）に連続する切欠き部を設けても良い。
【００６２】
また、上記の実施の形態では、切欠き部６４がラベルエリア６０の上辺を規定する上立壁６２Ａの長手方向中央部に設けられた好ましい構成としたが、本発明はこれに限定されず、例えば、下立壁６２Ｂや左立壁６２Ｃの一部、上立壁６２Ａと右立壁６２Ｄとの角部等を切り欠くことで、切欠き部６４を設けても良い。
【００６３】
さらに、上記の実施の形態では、後壁１２Ｃの外面を凹ませて立壁６２（ラベルエリア６０）が形成された構成としたが、本発明はこれに限定されず、例えば、後壁１２Ｃの外面から矩形枠状（一部切欠かれて切欠き部を有する枠状）の立壁を突設しても良い。
【００６４】
さらにまた、上記の実施の形態では、本発明におけるカートリッジの実施形態として、磁気テープＴを巻装した単一のリールをケース１２内に収容した記録テープカートリッジ１０を例示したが、本発明はこれに限定されず、例えば、本発明におけるカートリッジは、磁気テープＴの巻出用及び巻取用の２つのリールをケース１２内に収容した所謂２リール式の記録テープカートリッジや、光ディスクや磁気ディスク等の円板状のディスクメディアをケース１２内に回転可能に収容したディスクカートリッジにも適用可能である。また、本発明が適用される記録テープカートリッジの構成が上記記録テープカートリッジ１０に限定されないことは言うまでもない。
【００６５】
【発明の効果】
以上説明したように本発明に係るカートリッジは、切替部材側に当接部を有する節度手段の機能を維持しつつ見栄えが良好であるという優れた効果を有する。
【図面の簡単な説明】
【図１】本発明の実施の形態に係る記録テープカートリッジの全体構成を示す斜視図である。
【図２】本発明の実施の形態に係る記録テープカートリッジの分解斜視図である。
【図３】本発明の実施の形態に係る記録テープカートリッジを構成する上ケースの底面図である。
【図４】本発明の実施の形態に係る記録テープカートリッジを構成する下ケースの平面図である。
【図５】本発明の実施の形態に係る記録テープカートリッジの開口の開放過程を示す上ケースを取り除いて見た図であって、（Ａ）はドアの操作突起へのドライブ装置の係合突起の係合初期状態を示す平面図、（Ｂ）は開口の開放途中を示す平面図、（Ｃ）は開口の開放完了状態を示す平面図である。
【図６】本発明の実施の形態に係る記録テープカートリッジを背面側から見た斜視図である。
【図７】図６の７−７線に沿った断面図である。
【符号の説明】
１０　　記録テープカートリッジ（カートリッジ）
１２　　ケース
６０　　ラベルエリア
６２　　立壁
６２　　上立壁（立壁の上辺）
６４　　切欠き部
Ｔ　　　磁気テープ（記録媒体）
【図１】
2004095070.tif 000003
【図２】
2004095070.tif 000004
【図３】
2004095070.tif 000005
【図４】
2004095070.tif 000006
【図５】
2004095070.tif 000007
【図６】
2004095070.tif 000008
【図７】
2004095070.tif 000009